(57)【要約】【課題】土台と設置面との間に隙間が生じることを防止し、太陽電池パネルを簡単、迅速に設置できるようにする。【解決手段】太陽電池パネル１の一端側の枠部１ａに対応して設置する第１の土台２と、パネル１の他端側の枠部１ｂに対応して設置する第２の土台３と、第１の土台２に固定してパネル１の一端側を支持する第１の支持部材４と、第２の土台３に固定してパネル１の他端側を支持する第２の支持部材５とを備える。第１の支持部材４と第２の支持部材５の上部に、パネル１の一端側の枠部１ａと他端側の枠部１ｂに嵌合する嵌合部８を設ける。第１の支持部材４と第２の支持部材５を、断面略山高帽子状の方形に形作って第１の土台２と第２の土台３に被せて嵌合可能に形成する。【選択図】図１
0003197219.tif 000002
【実用新案登録請求の範囲】
【請求項１】
太陽電池パネルを傾斜状に設置するため上記パネルの一端側の枠部に対応して設置される角柱状の第１の土台と、上記パネルの他端側の枠部に対応して設置される角柱状の第２の土台と、上記第１の土台に固定されて上記パネルの一端側を支持する第１の支持部材と、上記第２の土台に固定されて上記パネルの他端側を支持する第２の支持部材とを備え、第１の支持部材と第２の支持部材の上部に、上記パネルの一端側の枠部と他端側の枠部に嵌合する嵌合部が設けられている太陽電池パネルの支持架台であって、上記第１の支持部材と第２の支持部材が、断面略山高帽子状の方形に形作られて上記第１の土台と第２の土台に被せて嵌合可能に形成されていることを特徴とする太陽電池パネルの支持架台。
【請求項２】
請求項１記載の太陽電池パネルの支持架台であって、太陽電池パネルの一端側の枠部と他端側の枠部に嵌合する嵌合部が、第１の支持部材と第２の支持部材の天板に設けられていることを特徴とする太陽電池パネルの支持架台。
【請求項３】
請求項１又は２記載の太陽電池パネルの支持架台であって、太陽電池パネルを傾斜方向に連結するのに使用する中間支持部材を備え、この中間支持部材が、前段の太陽電池パネルの他端側を支持する低い部分と、次段の太陽電池パネルの一端側を支持する高い部分とで形成され、低い部分と高い部分の上部が、前段の太陽電池パネルの他端側の枠部と次段の太陽電池パネルの一端側の枠部に嵌合可能に形成され、また低い部分と高い部分の少なくとも一方が、断面略山高帽子状の方形に形作られて角柱状の土台に嵌合可能に形成されていることを特徴とする太陽電池パネルの支持架台。
【考案の詳細な説明】
【技術分野】
【０００１】
本考案は、太陽電池パネルの支持架台に関し、更に詳しくは太陽電池パネルを屋上等に設置するのに好適なよう形成した太陽電池パネルの支持架台に関する。
【背景技術】
【０００２】
従来、この種のパネルとしては、本出願人の提案に係る特許文献１に記載されているものが知られている。
【０００３】
この従来技術は、太陽電池パネルを傾斜状に設置するため上記パネルの一端側の枠部に対応して設置される角柱状の第１の土台と、上記パネルの他端側の枠部に対応して設置される角柱状の第２の土台と、上記第１の土台に固定されて上記パネルの一端側を支持する第１の支持部材と、上記第２の土台に固定されて上記パネルの他端側を支持する第２の支持部材とを備えて形成されている。
【０００４】
またこの従来品は、上記第１の支持部材と第２の支持部材の上部が、上記パネルの一端側の枠部と他端側の枠部に嵌合可能に形成されている。また第１の支持部材と第２の支持部材の下部が、断面凹溝状に形成され、第１の土台、第２の土台に嵌合可能に形成されていた。
【０００５】
而して、この従来品は、第１の支持部材と第２の支持部材の断面凹溝状の下部に、第１の土台、第２の土台を嵌合させる構造であったから、これによると、第１の土台、第２の土台と設置面との間に、第１の支持部材、第２の支持部材の板厚の分だけ、隙間ができるのを避けられなかった。
【０００６】
従って、この従来品の場合は、土台の設置状態の安定化を図るため、上記の隙間を塞ぐ作業が必要になったから、従来品を使用すると、その分、パネルの設置工事に手間暇やコストがかかる、という問題点があった。
【先行技術文献】
【特許文献】
【０００７】
【特許文献１】実用新案登録第３１９４２９９号公報
【考案の概要】
【考案が解決しようとする課題】
【０００８】
本考案は、このような従来技術の問題点に鑑み、提案されたものである。
従って、本考案の解決しようとする技術的課題は、土台と設置面との間に隙間が生じることを防止し、太陽電池パネルを簡単、迅速に設置でき、太陽電池パネルの設置工事に係る手間暇の軽減化やコストの低廉化を図ることができるよう形成した太陽電池パネルの支持架台を提供することにある。
【課題を解決するための手段】
【０００９】
本考案は、上記の課題を解決するために、次のような技術的手段を採る。
即ち、本考案は、図１等に示されるように、太陽電池パネル１を傾斜状に設置するため上記パネル１の一端側の枠部１ａに対応して設置される角柱状の第１の土台２と、上記パネル１の他端側の枠部１ｂに対応して設置される角柱状の第２の土台３と、上記第１の土台２に固定されて上記パネル１の一端側を支持する第１の支持部材４と、上記第２の土台３に固定されて上記パネル１の他端側を支持する第２の支持部材５とを備え、第１の支持部材４と第２の支持部材５の上部に、上記パネル１の一端側の枠部１ａと他端側の枠部１ｂに嵌合する嵌合部８が設けられている太陽電池パネル１の支持架台であって、上記第１の支持部材４と第２の支持部材５が、断面略山高帽子状の方形に形作られて上記第１の土台２と第２の土台３に被せて嵌合可能に形成されていることを特徴とする（請求項１）。
【００１０】
第１の支持部材４と第２の支持部材５は、通常、金属板が屈曲形成されることで実現される。ここで、断面略山高帽子状とは、左右の脚片４ａ、５ａと、この脚片４ａ、５ａを連結する天板４ｂ、５ｂとでなる矩形を意味する。この場合、脚片４ａ、５ａの下端４ｃ、５ｃは、地面やコンクリートが打設された設置面に、面接触するよう外側に屈曲されて鍔状に形成されているのでも良い。
【００１１】
而して、本考案の支持架台は、太陽電池パネル１の一端側の枠部１ａと他端側の枠部１ｂに嵌合する嵌合部８が、第１の支持部材４と第２の支持部材５の天板４ｂ、５ｂに設けられているのが好ましい（請求項２）。
【００１２】
なぜならこれによると、嵌合部８を第１の支持部材４及び第２の支持部材５の上側部等に設ける場合に比べ、太陽電池パネル１の荷重をしっかりと安定した状態で受け止めることができるからである。
【００１３】
また本考案は、太陽電池パネル１を傾斜方向に連結するのに使用する中間支持部材９を備え、この中間支持部材９が、前段の太陽電池パネル１の他端側を支持する低い部分９ａと、次段の太陽電池パネル１の一端側を支持する高い部分９ｂとで形成され、低い部分９ａと高い部分９ｂの上部が、前段の太陽電池パネル１の他端側の枠部１ｂと次段の太陽電池パネル１の一端側の枠部１ａに嵌合可能に形成され、また低い部分９ａと高い部分９ｂの少なくとも一方が、断面略山高帽子状の方形に形作られて角柱状の土台に嵌合可能に形成されているのが好ましい（請求項３）。
【００１４】
なぜならこの場合は、複数の太陽電池パネル１を、連結用の部品を増やすことなく、簡単、迅速に傾斜状に連結できるからである。
【考案の効果】
【００１５】
本考案は、このように形成されているから、第１の支持部材と第２の支持部材を、第１の土台と第２の土台に嵌合し、各支持部材の上部を、太陽電池パネルの一端側の枠部と他端側の枠部に嵌合することで、太陽電池パネルを傾斜状に、簡単、迅速に設置できる。
【００１６】
また本考案は、支持部材を土台に被せて嵌合する構造のため、土台を、隙間を生じさせることなく設置できる。
従って、本考案は、特許文献１に記載の設置構造では必要になった土台の下側の隙間を埋める作業を省略できるから、これによれば、太陽電池パネルの設置工事を、簡単、迅速にでき、工期の短縮化やコストの低廉化を図ることができる。
【図面の簡単な説明】
【００１７】
【図１】本考案の支持架台の好適な一実施形態を示し、Ａは要部斜視図、Ｂは側面図である。
【図２】第１の支持部材の使用状態を説明するための要部分解斜視図である。
【図３】第１の支持部材の縦断面図である。
【図４】第１の支持部材の使用状態を説明するための要部側面図である。
【図５】第２の支持部材の使用状態を説明するための要部分解斜視図である。
【図６】第２の支持部材の縦断面図である。
【図７】第２の支持部材の使用状態を説明するための要部側面図である。
【図８】同上架台の使用状態を説明するための要部斜視図である。
【図９】同上架台の使用状態を説明するための要部側面図である。
【図１０】同上架台の使用状態を説明するための要部平面図である。
【図１１】中間支持金具の使用状態を説明するための要部分解斜視図である。
【図１２】中間支持金具の縦断面図である。
【図１３】中間支持金具の使用状態を説明するための要部側面図である。
【考案を実施するための形態】
【００１８】
以下、本考案の好適な一実施形態を、添付図面に従って説明する。
本考案は、図１等に示されるように、太陽電池パネル１を傾斜状に設置するため上記パネル１の一端側の枠部１ａに対応して設置される角柱状の第１の土台２と、上記パネル１の他端側の枠部１ｂに対応して設置される角柱状の第２の土台３と、上記第１の土台２に固定されて上記パネル１の一端側を支持する第１の支持部材４と、上記第２の土台３に固定されて上記パネル１の他端側を支持する第２の支持部材５とを備えて形成されている。
【００１９】
第１の土台２と第２の土台３は、この実施形態では同一形状、同一重量であり、貫通孔２ａ、３ａ（図２、図５参照）があけられている市販のコンクリートブロックである。この第１の土台２と第２の土台３は、重りとして機能するものである。
【００２０】
この実施形態の場合、第１の土台２は、コンクリートブロックが２個重合されて形成されている。従って、この場合は、その分、風圧や地震等の振動に対して強くなり、太陽電池パネル１を、１個の場合よりしっかりと設置できる。
【００２１】
上記第１の支持部材４と第２の支持部材５は、図２〜図７に示されるように、断面略山高帽子状の方形に形作られて上記第１の土台２と第２の土台３に被せて嵌合可能に形成されている。
【００２２】
第１の支持部材４と第２の支持部材５は、この実施形態では帯板状の金属板が屈曲形成され、左右の脚片４ａ、５ａと、この脚片４ａ、５ａを連結する天板４ｂ、５ｂとを備えている。また脚片４ａ、５ａの下端４ｃ、５ｃは、この実施形態では外側に屈曲形成され、設置面に面接触するよう鍔状に形成されている。
【００２３】
また第１の支持部材４と第２の支持部材５は、脚片４ａ、５ａに、ボルト６を通すための孔４ｄ、５ｄが形成されている。そして、第１の支持部材４と第２の支持部材５は、第１の土台２と第２の土台３に被せられて嵌合されると共に、貫通孔２ａ、３ａにボルト６が通されてナット７で締め付けられることにより、第１の土台２と第２の土台３に固定可能に形成されている。
【００２４】
また本考案の支持架台は、図４、図７に示されるように、第１の支持部材４と第２の支持部材５の天板４ｂ、５ｂに、上記パネル１の一端側の枠部１ａと他端側の枠部１ｂに嵌合する嵌合部８が設けられている。この嵌合部８は、この実施形態では、クランク形の板片８ａと、天板４ｂ、５ｂに重合されているフック８ｂ１付きの板片８ｂとが、嵌合用の断面コの字形を形作るよう止め具８ｃで固定されることで形成されている。止め具８ｃは、この実施形態ではボルトとナットである。
【００２５】
またこの実施形態の本考案は、図８〜図１３に示されるように、太陽電池パネル１を傾斜方向に連結するのに使用する中間支持部材９を備えて形成されている。この中間支持部材９は、帯板状の金属板が屈曲形成され、前段の太陽電池パネル１の他端側を支持する低い部分９ａと、次段の太陽電池パネル１の一端側を支持する高い部分９ｂとで形成されている。
【００２６】
低い部分９ａと高い部分９ｂは、その上部が、前段の太陽電池パネル１の他端側の枠部１ｂと次段の太陽電池パネル１の一端側の枠部１ａに嵌合可能に形成されている。
【００２７】
具体的には、図１３に示されるように、低い部分９ａは、起立状の板片９ａ１の上端が外側に庇状に屈曲され、この屈曲部９ａ２に、フック９ａ３１付きの板片９ａ３が重合され、この板片９ａ３の上にクランク形の折り曲げ片９ａ４が止め具９ａ５で固定されている。止め具９ａ５は、この実施形態ではボルトとナットである。そして、板片９ａ３と折り曲げ片９ａ４が作る断面略コの字形の箇所に、太陽電池パネル１の他端側の枠部１ｂが嵌合され、板片９ａ３のフック９ａ３１でしっかりと固定される。
【００２８】
また高い部分９ｂは、断面略山高帽子状の方形に形作られて角柱状の土台３に嵌合可能に形成されている。そして、脚片９ｂ１の間の天板９ｂ２に、フック９ｂ３１付きの板片９ｂ３とクランク形の折り曲げ片９ｂ４が、嵌合用の断面コの字形を形作るよう、止め具９ｂ５としてのボルトとナットで固定されている。
【００２９】
また低い部分９ａを形成する起立状の板片９ａ１と、高い部分９ｂの一方の脚片９ｂ１とで、コンクリートブロックの土台３に、下側から嵌合する凹溝状部９ａ６が形成されている。コンクリートブロックの土台２、３と中間支持部材９は、連結用の孔９ｃにボルト９ｄが通され、ナット９ｅで締め付けられて固定される。
【００３０】
次に、この実施形態の本考案の組立例を説明する。
作業者は、第１の土台２に第１の支持部材４を被せて嵌合し、ボルト６とナット７で固定する。また第１の支持部材４の上部の嵌合部８を、太陽電池パネル１の一端側の枠部１ａに嵌合する。
【００３１】
次に、作業者は、第２の土台３に第２の支持部材５を被せて嵌合し、ボルト６とナット７で固定する。そして、第２の支持部材５の上部の嵌合部８を、太陽電池パネル１の他端側の枠部１ｂに嵌合する。これにより、太陽電池パネル１が傾斜状に設置される。
【００３２】
また太陽電池パネル１を傾斜方向に複数連結する場合は、中間支持部材９を使用する。具体的には、コンクリートブロックを積み重ねた第１の土台２に高い部分９ｂを被せて嵌合し、凹溝状部９ａ６に土台３を嵌め込む。そして、適宜、ボルト９ｄとナット９ｅで連結する。また低い部分９ａの上部に、太陽電池パネル１の他端側の枠部１ｂを、高い部分９ｂの上部に次段の太陽電池パネル１の一端側の枠部１ａを嵌合して固定する。
【００３３】
以上の処において、上例では中間支持部材９が、凹溝状部９ａ６を備えて形成されているが、本考案は、これに限定されるものではない。即ち、中間支持部材９は、高い部分９ｂだけではなく、低い部分９ａも土台３に被せて嵌合できるよう、断面略山高帽子状の方形に形作られているのでも良い。なぜならこれによれば、土台３の下側に隙間ができることを防止できるからである。
【符号の説明】
【００３４】
１    太陽電池パネル
１ａ  一端側の枠部
１ｂ  他端側の枠部
２    第１の土台
３    第２の土台
４    第１の支持部材４
５    第２の支持部材
８    嵌合部
【図１】
0003197219.tif 000003
【図２】
0003197219.tif 000004
【図３】
0003197219.tif 000005
【図４】
0003197219.tif 000006
【図５】
0003197219.tif 000007
【図６】
0003197219.tif 000008
【図７】
0003197219.tif 000009
【図８】
0003197219.tif 000010
【図９】
0003197219.tif 000011
【図１０】
0003197219.tif 000012
【図１１】
0003197219.tif 000013
【図１２】
0003197219.tif 000014
【図１３】
0003197219.tif 000015